(57)【要約】      （修正有）【課題】パッシブマトリックス液晶ディスプレイにおけるクロストークを対策するとともに消費電力を低減する。【解決手段】パッシブマトリックスＬＣＤパネル３の走査線Ｃｏｍ１〜ＣｏｍＮを起動するための方法は、起動ユニット５が、選択信号に基づいて選択されるインタレース走査モード及びプログレッシブ走査モードのうちの選択される一方でパッシブマトリックスＬＣＤパネル３の走査線Ｃｏｍ１〜ＣｏｍＮを起動することを含む。この方法を実行する装置１も開示される。【選択図】図３
2010039464.tif 000002
【特許請求の範囲】
【請求項１】
パッシブマトリックス液晶ディスプレイ（ＬＣＤ）パネル（３）の走査線（Ｃｏｍ１〜ＣｏｍＮ）を起動するための方法であって、
選択信号に基づいて選択されるインタレース走査モード及びプログレッシブ走査モードのうちの選択される一方で、前記パッシブマトリックスＬＣＤパネル（３）の前記走査線（Ｃｏｍ１〜ＣｏｍＮ）を起動すること
を含む方法。
【請求項２】
前記選択信号は、前記インタフェース走査モードで前記走査線（Ｃｏｍ１〜ＣｏｍＮ）を繰り返し起動させて、前記パッシブマトリックスＬＣＤパネル（３）上にフレームを表示させることができる、請求項１に記載の方法。
【請求項３】
前記選択信号は、前記インタレース走査モード及び前記プログレッシブ走査モードで前記走査線（Ｃｏｍ１〜ＣｏｍＮ）を交互に起動して、前記パッシブマトリックスＬＣＤパネル（３）上にフレームを表示できるようにする、請求項１に記載の方法。
【請求項４】
パッシブマトリックスＬＣＤパネル（３）の走査線（Ｃｏｍ１〜ＣｏｍＮ）を起動するための方法であって、
インタレース走査モードで前記パッシブマトリックスＬＣＤパネル（３）の前記走査線（Ｃｏｍ１〜ＣｏｍＮ）を起動すること
を含む方法。
【請求項５】
パッシブマトリックスＬＣＤパネル（３）の走査線（Ｃｏｍ１〜ＣｏｍＮ）を起動するための装置（１）であって、
前記パッシブマトリックスＬＣＤパネル（３）の前記走査線（Ｃｏｍ１〜ＣｏｍＮ）に結合されるように適合され、前記パッシブマトリックスＬＣＤパネル（３）の前記走査線（Ｃｏｍ１〜ＣｏｍＮ）を起動するように動作可能な起動ユニット（５）と、
前記起動ユニット（５）に結合され、選択信号を受け取り、それにより、前記起動ユニット（５）が、受け取った前記選択信号に基づいて選択されるインタレース走査モード及びプログレッシブ走査モードのうちの選択される一方で前記パッシブマトリックスＬＣＤパネル（３）の前記走査線（Ｃｏｍ１〜ＣｏｍＮ）を起動できるように適合される制御ユニット（４）と、を備える装置。
【請求項６】
前記制御ユニット（４）は、前記選択信号に応答して、前記起動ユニット（５）を、前記走査線（Ｃｏｍ１〜ＣｏｍＮ）が前記インタレース走査モードで繰り返し起動されて、前記パッシブマトリックスＬＣＤパネル（３）上にフレームを表示できるようにする、請求項５に記載の装置。
【請求項７】
前記制御ユニット（４）は、前記選択信号に応答して、前記起動ユニット（５）を、前記走査線（Ｃｏｍ１〜ＣｏｍＮ）が前記インタレース走査モード及び前記プログレッシブ走査モードで交互に起動されて、前記パッシブマトリックスＬＣＤパネル（３）上にフレームを表示できるようにする、請求項５に記載の装置。
【請求項８】
前記制御ユニット（４）に結合され、複数の表示情報を内部に記憶する記憶ユニット（８）であって、前記制御ユニット（４）は、前記記憶ユニット（８）から、前記走査線（Ｃｏｍ１〜ＣｏｍＮ）のうちの起動された１つに対応する前記表示情報を検索するようにさらに動作可能である、記憶ユニット（８）と、
前記制御ユニット（４）に結合され、前記パッシブマトリックスＬＣＤパネル（３）に結合されるように適合され、前記制御ユニット（４）によって検索された前記表示情報に基づいて前記パッシブマトリックスＬＣＤパネル（３）を駆動して、前記パッシブマトリックスＬＣＤパネル（３）上に画像ピクセルを表示するように動作可能な表示駆動ユニット（１１）と、
をさらに備える、請求項５に記載の装置。
【発明の詳細な説明】
【技術分野】
【０００１】
(関連出願の相互参照)
本願は、２００８年８月１日に出願された台湾国特許出願第０９７１２９２４０号明細書の優先権を主張するものである。
【０００２】
本発明は、マトリックス液晶ディスプレイ（ＬＣＤ）パネルの走査線を起動するための方法及び装置に関し、より詳細には、パッシブマトリックスＬＣＤパネルの走査線を起動するための方法及び装置に関する。
【背景技術】
【０００３】
液晶ディスプレイ（ＬＣＤ）は当分野において周知であり、ツイストネマチック（ＴＮ）型、スーパーツイストネマチック（ＳＴＮ）型、及び薄膜トランジスタ（ＴＦＴ）型であり得る。
【０００４】
図１は、パネル９２及び駆動装置９１を含む従来のＳＴＮ  ＬＣＤを示す。パネル９２は、複数の走査線（Ｃｏｍ１〜ＣｏｍＮ）を含む。駆動装置９１は、パネル９２の走査線（Ｃｏｍ１〜ＣｏｍＮ）に接続される。
【０００５】
従来の上記ＳＴＮ  ＬＣＤは、駆動装置９１が、プログレッシブ走査モードでのみパネル９２の走査線（Ｃｏｍ１〜ＣｏｍＮ）を起動するという点で不都合である。これは、走査線（Ｃｏｍ１〜ＣｏｍＮ）における隣接する一対の例えば走査線（Ｃｏｍ１及びＣｏｍ２）間にクロストークが容易に発生し、従来のＳＴＮ  ＬＣＤ上に表示される隣接する線に影が現れることになる。このような問題は、隣接する白黒線を含む画像の場合にさらに顕著である。
【０００６】
さらに、従来のＳＴＮ  ＬＣＤ上のフレームに交互になった白線と黒線とを表示する場合、走査線（Ｃｏｍ１〜ＣｏｍＮ）はプログレッシブ走査モードで起動されるので、最小レベルと最大レベルとの間で繰り返し切り替える電圧を使用してパネル９２を駆動するための表示駆動ユニット（図示せず）が必要である。したがって、プログレッシブ走査モードで動作する従来のＳＴＮ  ＬＣＤは、比較的大量の電力を消費する。
【発明の概要】
【発明が解決しようとする課題】
【０００７】
したがって、本発明の主な目的は、従来技術の上記欠点を解消することができる、パッシブマトリックス液晶ディスプレイ（ＬＣＤ）パネルの走査線を起動するための方法を提供することである。
【０００８】
本発明の別の目的は、従来技術の上記欠点を解消することができる、パッシブマトリックス液晶ディスプレイ（ＬＣＤ）パネルの走査線を起動するための装置を提供することである。
【課題を解決するための手段】
【０００９】
本発明の一態様によれば、パッシブマトリックスＬＣＤパネルの走査線を起動するための方法は、選択信号に基づいて選択される、インタレース走査モード及びプログレッシブ走査モードのうちの選択された一方でパッシブマトリックスＬＣＤパネルの走査線を起動することを含む。
【００１０】
本発明の別の態様によれば、パッシブマトリックスＬＣＤパネルの走査線を起動するための方法は、インタレース走査モードでパッシブマトリックスＬＣＤパネルの走査線を起動することを含む。
【００１１】
本発明のさらに別の態様によれば、パッシブマトリックスＬＣＤパネルの走査線を起動するための装置は、起動ユニット及び制御ユニットを備える。起動ユニットは、パッシブマトリックスＬＣＤパネルの走査線に結合されるように適合され、パッシブマトリックスＬＣＤパネルの走査線を起動するように動作可能である。制御ユニットは、起動ユニットに結合され、選択信号を受け取るように適合され、それにより、起動ユニットが、受け取った選択信号に基づいて選択されたインタレース走査モード及びプログレッシブ走査モードのうちの選択された一方でパッシブマトリックスＬＣＤパネルの走査線を起動できるようにする。
【００１２】
本発明の他の特徴及び利点は、添付図面を参照して以下の好ましい実施形態の詳細な説明において明らかになろう。
【図面の簡単な説明】
【００１３】
【図１】従来のスーパーツイストネマチック（ＳＴＮ）液晶ディスプレイ（ＬＣＤ）のパネル及び駆動装置を示すブロック図である。
【図２】本発明によるパッシブマトリックスＬＣＤパネルの走査線に接続された装置の好ましい実施形態のブロック図である。
【図３】好ましい実施形態の構成要素を示すブロック図である。
【図４】インタレース走査モード及びプログレッシブ走査モードでのパッシブマトリックスＬＣＤパネルの走査線の起動を示すタイミング図である。
【発明を実施するための形態】
【００１４】
図２及び図３を参照して、起動ユニット５及び制御ユニット４を含む、本発明による液晶ディスプレイ（ＬＣＤ）２の装置１の好ましい実施形態を示す。
【００１５】
本発明の、駆動装置等の装置１は、ＬＣＤ２のパッシブマトリックスＬＣＤパネル３の走査線（Ｃｏｍ１〜ＣｏｍＮ）を、以下説明するように起動する。
【００１６】
この実施形態では、ＬＣＤ２はツイストネマチック（ＴＮ）ＬＣＤ又はスーパーツイストネマチック（ＳＴＮ）ＬＣＤであってよい。
【００１７】
起動ユニット５は、走査線駆動ユニット１０を通してパッシブマトリックスＬＣＤパネル３の走査線（Ｃｏｍ１〜ＣｏｍＮ）に接続され、パッシブマトリックスＬＣＤパネル３の走査線（Ｃｏｍ１〜ＣｏｍＮ）を起動するように機能する走査信号を生成するように動作可能である。この実施形態では、起動ユニット５は、インタレース走査モード及びプログレッシブ走査モードのうちの一方でパッシブマトリックスＬＣＤパネル３の走査線（Ｃｏｍ１〜ＣｏｍＮ）を起動して、パッシブマトリックスＬＣＤパネル３上にフレームを表示するように動作可能である。
【００１８】
制御ユニット４は、起動ユニット５に接続され、選択信号を受け取り、それにより、起動ユニット５が、受け取った選択信号に基づいて選択されるインタレース走査モード及びプログレッシブ走査モードのうちの選択された一方でパッシブマトリックスＬＣＤパネル３の走査線（Ｃｏｍ１〜ＣｏｍＮ）を起動できるようにする。
【００１９】
この実施形態では、選択信号は、走査線（Ｃｏｍ１〜ＣｏｍＮ）がプログレッシブ走査モードで繰り返し起動されて、パッシブマトリックスＬＣＤパネル３にフレームを表示するように、制御ユニット４に起動ユニット５をイネーブルさせる信号であることができる。さらに、この実施形態では、選択信号は、走査線（Ｃｏｍ１〜ＣｏｍＮ）がインタレース走査モードで繰り返し起動されて、パッシブマトリックスＬＣＤパネル３上にフレームを表示するように、制御ユニット４に起動ユニット５をイネーブルさせる信号であってよい。さらに、この実施形態では、選択信号は、走査線（Ｃｏｍ１〜ＣｏｍＮ）が、インタレース走査モード及びプログレッシブ走査モードで交互に起動されて、パッシブマトリックスＬＣＤパネル３上にフレームを表示するように、制御ユニット４に起動ユニット５をイネーブルさせる信号であってよい。
【００２０】
走査線駆動ユニット１０は、起動ユニット５によって生成される起動信号の電圧レベルを、パッシブマトリックスＬＣＤパネル３の走査線（Ｃｏｍ１〜ＣｏｍＮ）を起動することができる別の電圧レベルに変換するように動作可能である。
【００２１】
制御ユニット４は、インタフェース７を通して、８０５１シリーズシングルチップマイクロプロセッサ等のシングルチップマイクロプロセッサ６にさらに接続される。シングルチップマイクロプロセッサ６は、選択信号を生成するように動作可能である。インタフェース７は、シングルチップマイクロプロセッサ６によって生成される選択信号の電圧レベルを、制御ユニット４によって要求される電圧レベルに変換するように動作可能である。
【００２２】
装置１は、記憶ユニット８及び表示駆動ユニット１１をさらに含む。記憶ユニット８が制御ユニット１４に接続され、複数の表示情報を内部に記憶するように機能する。この実施形態では、記憶ユニット８は、ランダムアクセスメモリ（ＲＡＭ）等のコンピュータメモリであってよい。さらに、この実施形態では、制御ユニット４は、ロケーションアドレス（ＬＡＤ）を生成し、それにより、生成されたＬＡＤによって識別される記憶ユニット８内のメモリロケーションから、パッシブマトリックスＬＣＤパネル３の走査線（Ｃｏｍ１〜ＣｏｍＮ）のうちの起動されるものに対応する表示情報を検索するようにさらに動作可能である。表示駆動ユニット１１は、制御ユニット４及びパッシブマトリックスＬＣＤパネル３に接続され、制御ユニット４によって検索された表示情報のスケールに対応する電圧を使用してパッシブマトリックスＬＣＤパネル３を駆動して、パッシブマトリックスＬＣＤパネル３上に画像ピクセルを表示するように動作可能である。
【００２３】
記憶ユニット８内のアドレス可能なメモリロケーション数は、パッシブマトリックスＬＣＤパネル３の走査線（Ｃｏｍ１〜ＣｏｍＮ）の数以上である。したがって、記憶ユニット８は、パッシブマトリックスＬＣＤパネル３の各走査線（Ｃｏｍ１〜ＣｏｍＮ）の表示情報を記憶することができる。
【００２４】
プログレッシブ走査モードでは、図４に最もよく示されるように、起動ユニット５が走査線（Ｃｏｍ１〜ＣｏｍＮ）を連続して起動することに留意する。したがって、このモードでは、従来技術に関連する上記問題が発生する恐れがある。
【００２５】
さらに、インタレース走査モードでは、図４に最もよく示されるように、起動ユニット５はまず、奇数番号の走査線（Ｃｏｍ１、Ｃｏｍ３、…、ＣｏｍＮ）を連続して起動し、それから、偶数番号の走査線（Ｃｏｍ２、Ｃｏｍ４、…、ＣｏｍＮ−１）をこれもまた連続して起動する。したがって、このモードでは、従来技術に関連する上記問題がなくなる。即ち、隣接する走査線対（Ｃｏｍ１〜ＣｏｍＮ）、例えば走査線（Ｃｏｍ１及びＣｏｍ２）は連続して起動されないため、クロストークが回避される。また、パッシブマトリックスＬＣＤパネル３上にフレームで交互になった白線と黒線とを表示する場合、最小レベルと最大レベルとの間で繰り返し切り替える電圧を使用してパッシブマトリックスＬＣＤパネル３を駆動するために、表示駆動ユニット１１は必要なく、それにより、消費電力が低くなる。
【００２６】
代替の実施形態では、インタレース走査モードにおいて、起動ユニット５はまず、偶数番号の走査線（Ｃｏｍ２、Ｃｏｍ４、…、ＣｏｍＮ−１）を連続して起動し、その後、奇数番号の走査線（Ｃｏｍ１、Ｃｏｍ３、…、ＣｏｍＮ）をこれもまた連続して起動することができる。
【００２７】
本発明を、最も実用的で好ましい実施形態とみなされるものに関連して説明したが、本発明は開示される実施形態に制限されず、このような変更及び等価の構成をすべて包含するように、元も広い解釈の趣旨及び範囲内に含まれる様々な構成の包含が意図されることが理解される。
【符号の説明】
【００２８】
２  液晶ディスプレイ(ＬＥＤ)
【図１】
2010039464.tif 000003
【図２】
2010039464.tif 000004
【図３】
2010039464.tif 000005
【図４】
2010039464.tif 000006